(57)【特許請求の範囲】
【請求項１】
光ファイバ心線とこの光ファイバ心線を挟んでその両側に平行に配置された少なくとも一対の第１抗張力体とがケーブルシースで被覆された光ファイバ部と、第２抗張力体がシースで被覆されたケーブル支持線部とが互いに連続的または間欠的に固定されてなる光ファイバドロップケーブルであって、
前記第２抗張力体の長さをα、前記ケーブル支持線部を除去した状況での光ファイバ部の長さをβ、前記ケーブル支持線部を除去した状況での光ファイバ心線の長さをγとしたとき、γ＞α＞βであることを特徴とする光ファイバドロップケーブル。
【発明の詳細な説明】
【０００１】
【発明の属する技術分野】
この発明は、光ファイバドロップケーブルおよびその製造方法に関する。
【０００２】
【従来の技術】
従来、光ファイバドロップケーブルの構造としては、光ファイバ心線とこの光ファイバ心線を挟んでその両側に平行に配置された少なくとも一対の第１抗張力体とがケーブルシースで被覆された光ファイバ部と、第２抗張力体がシースで被覆されたケーブル支持線部とが互いに連続的または間欠的に固定されている構造が知られている。
【０００３】
前記光ファイバドロップケーブルにあって、前記第２抗張力体の長さ、光ファイバ心線の長さ、ケーブル支持線部の長さに線長差がでないように製造されている。
【０００４】
【発明が解決しようとする課題】
フィールドに敷設される際、架線張力により支持線（第２抗張力体）が伸び、光ファイバ部に歪みが生じる。この光ファイバ部に加わる歪みが大きくなると、光ファイバ心線の破断確率が高くなることが知られている。
【０００５】
また、光ファイバドロップケーブルの敷設時に支持線部を外し敷設する場所がある。この支持線部を外すことにより、同じ張力が印加された場合の光ファイバ部の伸びは大きくなり、敷設作業時に誤って張力を加え、光ファイバ心線に過大な歪みを与えてしまうことが考えられる。また、支持線を外して敷設した部位に外力が加わり予想外に伸ばされることもある。
【０００６】
この発明は上述の課題を解決するためになされたもので、その目的は、光ファイバ心線にかかる歪みを小さくすることにより、光ファイバ心線の破断確率を小さくし、長期間安定した伝送を行うことを可能にした光ファイバドロップケーブルおよびその製造方法を提供することにある。
【０００７】
【課題を解決するための手段】
上記目的を達成するために請求項１によるこの発明の光ファイバドロップケーブルは、光ファイバ心線とこの光ファイバ心線を挟んでその両側に平行に配置された少なくとも一対の第１抗張力体とがケーブルシースで被覆された光ファイバ部と、第２抗張力体がシースで被覆されたケーブル支持線部とが互いに連続的または間欠的に固定されてなる光ファイバドロップケーブルであって、前記第２抗張力体の長さをα、前記ケーブル支持線部を除去した状況での光ファイバ部の長さをβ、前記ケーブル支持線部を除去した状況での光ファイバ心線の長さをγとしたとき、γ＞α＞βであることを特徴とするものである。
【０００８】
したがって、第２抗張力体の長さをα、ケーブル支持線部を除去した状況での光ファイバ部の長さをβ、ケーブル支持線部を除去した状況での光ファイバ心線の長さをγとしたとき、γ＞α＞βとすることにより、架線時の光ファイバの歪み、ケーブル支持線部を除去したときの光ファイバの歪みが低減され、破断確率を下げることが可能となる。
【００１１】
【発明の実施の形態】
以下、この発明の実施の形態について図面を参照して詳細に説明する。
【００１２】
図２を参照するに、光ファイバドロップケーブル１の構造は、例えば０．２５ｍｍφの光ファイバを２本並列に並べた２心光ファイバテープ心線からなる光ファイバテープ心線３の両脇に例えば０．４ｍｍφの鋼線からなる第１抗張力体５を配しＰＶＣや難燃性ＰＥのような熱可塑性樹脂７で被覆した光ファイバ部９と、例えば１．２ｍｍφの鋼線からなる第２抗張力体１１をＰＶＣや難燃性ＰＥのような熱可塑性樹脂７で被覆したケーブル支持線部１３からなっている。これらは平行に並び、薄い首部１５で連続的または間欠的に固定されている。
【００１３】
ケーブルを電柱あるいはビル・一般家庭に引き留める際には、薄い首部１５を利用して光ファイバ部９と支持線部１３を分離し、その支持線部１３を利用して引き留められる。
【００１４】
光ファイバ部９の中央にある切り込み部１７を利用して左右に切り裂き、光ファイバテープ心線３を取り出し、一方は柱上に設置されたクロージャ内で他ファイバと接続され、もう一方は屋外あるいは屋内の接続箱あるいはＯＥ変換器へとつなげられる。
【００１５】
そして、この光ファイバドロップケーブル１を製造すると、図１（Ａ）に示した状態となる。そして、図１（Ｂ）および図１（Ｃ）に示されているように、第２抗張力体１１の長さをα、光ファイバ部９の長さをβ、ケーブル支持線部を除去した状況での光ファイバ心線の長さをγとすると、架線時の光ファイバ歪を低減するために、第２抗張力体１１の長さαに対して光ファイバ心線の長さγが長くなるようにする。（α＜γ）
また、支持線を除去した後に生じるファイバ歪を低減するために、支持線部を除去した状況での光ファイバ部９の長さβにたいして光ファイバ心線の長さγが長くなり（β＜γ）、かつ支持線を除去した状況では同じ張力が印加されたときのケーブル伸びが、支持線がついた状態より、大きくなるので、γ−β＞γ−αとなるようにする。（α＞β）
よってγ＞α＞βとする事により、架線時にファイバ歪、支持線部を除去したときのファイバ歪を低減する事ができ、破断確率を下げることが可能になる。
【００１６】
そして、第２抗張力体１１の送出し張力、光ファイバ心線３の送出し張力、光ファイバ部９における第１抗張力体５の送出し張力を制御して試作を行い、送出し張力と各部の長さの比を調べた。
【００１７】
その結果、光ファイバ心線３の送出し張力を１００ｇｆに固定し、第２抗張力体１１の送出し張力、第１抗張力体５の送出し張力を変更して押出しを行い、第２抗張力体１１の送出し張力による第２抗張力体１１ー光ファイバ心線３の関係、第１抗張力体５の送出し張力による第１抗張力体５ー光ファイバ心線３の関係は、それぞれ図３、図４に示したような結果を得た。
【００１８】
すなわち、第１抗張力体５の送出し張力０．６ｋｇｆにおける第２抗張力体１１の送出し張力と、光ファイバ心線３の長さγが第２抗張力体１１の長さαに対する長さの比（γ／α）との関係が図３に示されている。また、第２抗張力体１１の送出し張力１．０ｋｇｆにおける第１抗張力体５の送出し張力と、光ファイバ心線３の長さγが第１抗張力体５の長さβに対する長さの比（γ／β）との関係が図４に示されている。
【００１９】
光ファイバ心線３、第２抗張力体１１、第１抗張力体５の長さの比は、樹脂の収縮等の影響が大きく、各部の送出し張力の比だけでは決まらないが、送出し張力を変更することにより制御可能であることがわかった。
【００２０】
以上の結果を基にして、次に示すような２種類の光ファイバドロップケーブル１を試作し、引張試験時のファイバ歪みを測定した結果、図５、図６に示すとおりである。
【００２１】
（１）、光ファイバ心線３が第２抗張力体１１と同程度の長さの光ファイバドロップケーブル（γ≒α）
（２）、光ファイバ心線３が第２抗張力体１１より長い光ファイバドロップケーブル（γ≒１．０００５α）
図５に示されていることから、ケーブル支持線部を除去した状況での光ファイバ心線３の長さγが第２抗張力体１１の長さαより長い光ファイバドロップケーブルでは、歪みが低減されている。
【００２２】
図６に示されていることから、第２抗張力体１１を除去した状態では、より低荷重でファイバ伸びが大きくなるため、光ファイバ心線３の長さγが第２抗張力体１１を除去した状態の光ファイバ部９の長さβより長い光ファイバドロップケーブルでは、歪みが低減されている。
【００２３】
したがって、第２抗張力体の長さをα、ケーブル支持線部を除去した状況での光ファイバ部の長さをβ、ケーブル支持線部を除去した状況での光ファイバ心線の長さをγとしたとき、γ＞α＞βとすることにより、架線時の光ファイバの歪み、ケーブル支持線部１３を除去したときの光ファイバの歪みを低減することができ、破断確率を下げることを可能にすることができる。
【００２４】
なお、この発明は前述した実施の形態に限定されることなく、適宜な変更を行うことによりその他の態様で実施し得るものである。
【００２５】
【発明の効果】
以上のごとき発明の実施の形態の説明から理解されるように、請求項１の発明によれば、第２抗張力体の長さをα、ケーブル支持線部を除去した状況での光ファイバ部の長さをβ、ケーブル支持線部を除去した状況での光ファイバ心線の長さをγとしたとき、γ＞α＞βとすることにより、架線時の光ファイバの歪み、ケーブル支持線部を除去したときの光ファイバの歪みを低減することができ、破断確率を下げることを可能にすることができる。
【図面の簡単な説明】
【図１】（Ａ）は、この発明の光ファイバドロップケーブルの斜視図、（Ｂ）は、光ファイバ部とケーブル支持線部との長さ関係を示した斜視図、（Ｃ）は、ケーブル支持線部と光ファイバ心線との長さ関係を示した斜視図である。
【図２】この発明の光ファイバドロップケーブルの断面図である。
【図３】第２抗張力体の送出し張力による第２抗張力体ー光ファイバ心線の関係を示した図である。
【図４】第１抗張力体の送出し張力による第１抗張力体ー光ファイバ心線の関係を示した図である。
【図５】２種類の光ファイバドロップケーブルを試作し、第２抗張力体印可荷重に対するファイバ歪みを測定した図である。
【図６】２種類の光ファイバドロップケーブルを試作し、印可荷重に対するファイバ歪みを測定した図である。
【符号の説明】
１  光ファイバドロップケーブル
３  光ファイバ心線
５  第１抗張力体
７  熱可塑性樹脂
９  光ファイバ部
１１  第２抗張力体
１３  ケーブル支持線部
１５  首部
１７  切り込み部
α  第２抗張力体の長さ
β  ケーブル支持線部を除去した状況での光ファイバ部の長さ
γ  ケーブル支持線部を除去した状況での光ファイバ心線の長さ
【図１】
0004727870.tif 000002
【図２】
0004727870.tif 000003
【図３】
0004727870.tif 000004
【図４】
0004727870.tif 000005
【図５】
0004727870.tif 000006
【図６】
0004727870.tif 000007